(57)【要約】      （修正有）【課題】配置的家具として、有用で且つ良好な意匠性で深みのある質感の装飾を主体にして、開き戸部付きで、角形様デザイン性を持たせたサイドボード家具を提供する。【解決手段】４〜６角形の形状した側板枠体２の中心部に類似の形状体を設けて、中心の４〜６角形の形状体を開き戸部、引出部３にして、その周囲に４〜８段の棚板６と仕切り板５とを設けた棚部を配列する。角形周囲に中心部同形の形状をもたせて、中心位置での開き戸部、引出部の平面を装飾平板で形成し、家具内で浮いたようなデザイン性を持たせる。【選択図】図１
0003198531.tif 000002
【実用新案登録請求の範囲】
【請求項１】
家具のデザイン性を増すために、４〜６角形の形状した側板枠体にあって、中心部に類似の形状体を設けて、中心の４〜６角形の形状体を開き戸部、引出部にして、その周囲に４〜８段の棚板と仕切り板とを設けた棚部に配列して角形周囲に中心部同形の形状をもたせて、中心位置での開き戸部、引出部の平面を装飾平板で、家具内で浮いたようなデザインになっていることを特徴とする角形様デザイン性サイドボード家具。
【請求項２】
４〜６角形の形状した側板枠体は、大きさを縦５００〜２０００ｍｍ、横５００〜２０００ｍｍ、奥行き３００〜８００ｍｍであって、中心部の４〜６角形の形状体の開き戸部、引出部は１〜４個であって、外側の周囲の大きさより１／３〜１／８になっていることを特徴とする請求項１に角形様デザイン性サイドボード家具。
【請求項３】
棚板、及び仕切り板は、厚さ１０〜３０ｍｍ、縦３００〜５００ｍｍ、横３００〜５００ｍｍで、奥行き３００〜８００ｍｍの木製板で、中心部の周囲に左右４〜８段の棚部に上下に２枚の仕切り板を嵌め込めており、各部の高さを１００〜５００ｍｍであって、中心部の開き戸部、引出部を位置して、当該開き戸部、引出部の大きさとして縦１００〜４００ｍｍ、横１５０〜５００ｍｍにしていることを特徴とする請求項１、又は請求項２の角形様デザイン性サイドボード家具。
【考案の詳細な説明】
【技術分野】
【０００１】この考案は、家具として有用な、良好な意匠性で深みのある開き戸部と引出部を中心部に持ち、重圧感を所有する位置にして、全体的に質感の装飾を主体にした、デザイン性に富んだサイドボード家具に関するものである。
【背景技術】
【０００２】従来、家具のサイドボードにはデザイン性模様の化粧材が使用されていることが一般によく知られている。このデザイン性化粧材は、無垢木板、ＭＤＦ製の基材の上面に接着された突板、或いは化粧シートを張り付けて意匠性を備えていることが多い。
一般に家具のデザインは、各種の素材からなる化粧板によっても行われている。
家具の部材において部分的配置などを変更してデザイン性を増すことは余り知られていない。【０００３】木製基材板に、多数のランダムな大きさの線状の溝目要素をもって、全体として線状目模様の流動状を構成するように彫られた木板部を有する化粧板が使用された家具が示されているである（特許文献１参照）。
また家具のデザイン性を増すために、家具の化粧板の一種に、木材表面をブラッシング加工して、春材部、花模様部を削り取り、表面に凹凸を形成した後に塗装仕上げしたものも知られている（特許文献２参照）。【０００４】このデザイン性化粧板は、木質素材表面の自然の凹凸感を生かしたものとして、優れた質感のある木質材として注目されてもいる（特許文献３参照）。さらに突板を貼り合わせたものに表面を彫って模様を付けて、その中に顔料を注入して化粧板を提供している（特許文献４参照）。しかし製作において煩雑であって、高価になる。所定の板厚さの板目材の小角材及び又は挽き板を長さ方向、板幅方向、板厚さ方向の垂直方向、水平方向、略斜め方向の多数方向において積層接合した集成材で市松模様にしている化粧板である。（特許文献５参照）。【０００５】しかし、サイドボートなどの家具のうちデザイン性がもともられているものでは、使用する材料によって装飾性を向上させているのみで、扉、引出などの家具の部材の形状、それらの配置、色合いなどを変えることによってデザイン性を高めたものを示しているものは存在しない。
【先行技術文献】
【特許文献】
【０００６】
【特許文献１】特開平７−４１３３８号公報
【特許文献２】特開平１１−２６２４１７号公報
【特許文献３】特開２００２−３５３２７号公報
【特許文献４】特開平１０−５９７５１号公報
【特許文献５】特開２００１−３０１３３９７号公報
【考案の概要】
【考案が解決しようとする課題】
【０００７】本考案は、従来のサイドボード家具において、デザイン性、及び装飾性をますには、家具表面の化粧板の模様、及び形状でのデザイン性を向上させることである。化粧板の平板の表面を、形状性で、デザイン性の木製の板、塗装された板が使用されていた。家具の表面の板の模様を変えるだけでは、意匠性に変化が乏しかった。また開き戸の扉によって、家具の表面はその化粧板によって遮蔽されており、意匠性に変化が乏しくなる。【０００８】  サイドボードなどの家具などの化粧板は天然木材、樹脂の表面にプリントした合板、あるいは各種の木質加工材の化粧板の使用が普及されている。しかしこれらの加工材に天然木材のみでは表現出来ない特異な形状による意匠性を呈することは難しい課題になっている。サイドボートなどの家具のうちデザイン性、形状性が求められているものでは、使用する材料によって装飾性を向上させているのみで、扉、引出、棚の形状で、それらの配置、色合い、装飾などで家具全体のデザイン性を示しているものは存在しない。【０００９】  このような課題に対応するために、家具とりわけサイドボートの部分的模様と部材の配列を組み合わせて、今までにないデザイン性、形状性を高めることが必要になってきた。特に開き戸部と引出部と棚部の位置、配列と色彩などをデザイン的にすることで、装飾的サイドボードになることが期待される。【００１０】  本考案は、上記の事情に鑑みて、このサイドボートの部品の配列によってデザイン性である形状を強調させ、優れた質感の重複感の切り込み部を入れた引き戸部の表面模様を形成することのできる新しい部品の配列模様を呈したペアー家具体を持つサイドボード家具を提供することを目的としている。
【課題を解決するための手段】
【００１１】家具のデザイン性を増すために、４〜６角形の形状した側板枠体にあって、中心部に類似の形状体を設けて、中心の４〜６角形の形状体を開き戸部、引出部にして、その周囲に４〜８段の棚板と仕切り板とを設けた棚部に配列して角形周囲に中心部同形の形状をもたせて、中心位置での開き戸部、引出部の平面を装飾平板で、家具内で浮いたようなデザインになっている角形様デザイン性サイドボード家具である。【００１２】４〜６角形の形状した側板枠体は、大きさを縦５００〜２０００ｍｍ、横５００〜２０００ｍｍ、奥行き３００〜８００ｍｍであって、中心部の４〜６角形の形状体の開き戸部、引出部は１〜４個であって、外側の周囲の大きさより１／３〜１／５になっている。【００１３】棚板、及び仕切り板は、厚さ１０〜２０ｍｍ、縦３００〜５００ｍｍ、横３００〜５００ｍｍで、奥行き３００〜８００ｍｍの木製板で、中心部の周囲に左右４〜８段の棚部に上下に２枚の仕切り板を嵌め込めており、各部の高さを１００〜５００ｍｍであって、中心部の開き戸部、引出部を位置して、当該開き戸部、引出部の大きさとして縦１００〜４００ｍｍ、横１５０〜５００ｍｍにしている。
【考案の効果】
【００１４】  以上のように、本考案の木製板の角型構造である装飾物置台において、開き戸部と引出部と棚部とを持つ家具体によって、サイドボード家具の意匠性と趣を維持しながら、美観的デザイン性を向上させることができ、形状的に製造面でもコストを削減することができる。【００１５】  木製板の角型構造である宙に浮いた形状の装飾物置台において、中心部で形状配置における棚板、引出部、開き戸部の色合いと模様表現による意匠性、質感ともに優れた装飾板にして、和風的で、豪華さを持ったサイドボード家具が提供される。
【図面の簡単な説明】
【００１６】
【図１】角形様デザイン性サイドボード家具の斜視図
【図２】開き戸部付き角形様デザイン性サイドボード家具の斜視図
【図３】引出部付き角形様デザイン性サイドボード家具の斜視図
【図４】木製化粧板の開き戸部と引出部付デザイン性サイドボード家具の正面図  Ａ：片開きタイプ  Ｂ：両開き戸タイプ
【考案を実施するための形態】
【００１７】以下、本考案を実施するための最良の形態について説明する。
図１は、角形様デザイン性サイドボード家具の斜視図、図２は、開き戸部付き角形様デザイン性サイドボード家具の斜視図、図３は、引出部付き角形様デザイン性サイドボード家具の斜視図、図４は、木製化粧板の開き戸部と引出部付デザイン性サイドボード家具の正面図（Ａ：片開きタイプ    Ｂ：両開き戸タイプ）木製化粧板の開き戸部と引出部である
【実施例１】
【００１８】図１に示すように、家具のデザイン性を増すために、４角形の形状した側板枠体にあって、中心部に類似の形状体を設けて、中心の４角形の形状体の引出部になって、その周囲に６段の棚板と仕切り板を設けた棚部に配列して角形周囲に中心部同形の形状をもたせて、中心平板状の開き戸部、引出部を浮いたようなデザインに組み合わせにした。【００１９】４角形の形状した側板枠体は、大きさを縦８８０ｍｍ、横１１５０ｍｍ、奥行き３７０ｍｍであって、中心部の４角形の形状体の開き戸部、引出部は４個であって、外側の周囲の大きさより約１／３にした。【００２０】棚板、及び仕切り板は、厚さ２０ｍｍ、高さ３００〜５００ｍｍで、奥行き３７０ｍｍの木製板で、中心部の周囲に左右６段の棚部に上下に２枚の仕切り板を嵌め込めており、各部の高さを３００ｍｍであって、中心部の引出部を位置して、当該引出部の大きさとして縦１３０ｍｍ、横４００ｍｍにした。
【実施例２】
【００２１】図２に示すように、開き戸付家具でデザイン性を増すために、４角形の形状した側板枠体にあって、中心部に類似の形状体を設けて、中心の４角形の形状体の開き戸部、引出部になって、その周囲に８段の棚板と仕切り板を設けた棚部に配列して角形周囲に中心部同形の形状をもたせて、中心平板状の開き戸部を浮いたようなデザインに組み合わせにした。【００２２】４角形の形状した側板枠体は、大きさを縦８９０ｍｍ、横８９０ｍｍ、奥行き３７０ｍｍであって、中心部の４角形の形状体の開き戸部は両開き１個で内部を棚にして、外側の周囲の大きさより約１／３にした。【００２３】棚板、及び仕切り板は、厚さ２０ｍｍ、縦横２５０〜５００ｍｍで、奥行き３７０ｍｍの木製板で、中心部の周囲に左右６段の棚部に上下に２枚の仕切り板を嵌め込めており、各部の高さを２００ｍｍであって、中心部の開き戸部を位置して、当該開き戸部の大きさとして縦４００ｍｍ、横２７０ｍｍにした。
【実施例３】
【００２４】図４Ａで示すように、家具のデザイン性を増すために、４角形の形状した側板枠体にあって、中心部に類似の形状体を設けて、中心の４角形の形状体の開き戸部、引出部になって、その周囲に６段の棚板と仕切り板を設けた棚部に配列して角形周囲に中心部同形の形状をもたせて、中心平板状の開き戸部、引出部を浮いたようなデザインに組み合わせにした。【００２５】４角形の形状した側板枠体は、大きさを縦８９０ｍｍ、横８９０ｍｍ、奥行き３７０ｍｍであって、中心部の４角形の形状体の開き戸部と引き出部にして、片開き１個で内部を棚にして、外側の周囲の大きさより約１／３にした。【００２６】棚板、及び仕切り板は、厚さ２０ｍｍ、縦横２５０〜５００ｍｍで、奥行き３７０ｍｍの木製板で、中心部の周囲に左右６段の棚部に上下に２枚の仕切り板を嵌め込めており、各部の高さを２００ｍｍであって、中心部の片開き戸部、引出部を位置して、当該片開き戸部の大きさとして縦４００ｍｍ、横２７０ｍｍに、２個の引き出部を幅２５０ｍｍ、高さ１５０ｍｍにした。
【符号の説明】
【００２７】１．天板
２．側板
３．引出部
４．脚
５．仕切り板
６．棚板
７．底板部
８．開き戸部
【図１】
0003198531.tif 000003
【図２】
0003198531.tif 000004
【図３】
0003198531.tif 000005
【図４】
0003198531.tif 000006